(57)【要約】    【課題】  運転停止からすぐに再運転を開始した場合においても、圧縮機の負荷を軽減し、確実な始動を可能にし、除湿機内でのカビや雑菌の繁殖を抑制し、床面に対して高い乾燥性能を発揮する除湿機を提供する。    【解決手段】  除湿運転を開始する際、制御手段36は、所定の時間のみ、冷媒が循環する経路を冷却用循環路29から加熱用循環路30に切換える。、冷却用循環路29を構成するコンデンサ23内部に高圧冷媒が充満している場合でも、加熱用循環路30によりコンデンサ23とエバポレータ26とが、当該他の構成手段を介さずに直接連通することで、前記高圧冷媒がエバポレータ26に瞬時に抜けるため、コンプレッサ22に掛かる負荷を短時間で大幅に低減し、除湿機の運転停止後すぐに運転を再開することができる。【選択図】  図４
2005334795.tif 000002
【特許請求の範囲】
【請求項１】
冷媒を圧縮する圧縮部と、除湿運転時に前記冷媒を流通させ、凝縮部と蒸発部とを備えてなる冷却用経路と、除霜運転時に前記冷媒を流通させる加熱用経路と、切換える切換部とからなる機構を備え、制御して除湿を行なう除湿機において、制御手段は、前記除湿運転時、前記切換部により、所定の時間のみ前記冷却用経路から前記加熱用経路に切換えて、前記凝縮部と前記蒸発部とを連通させるものであることを特徴とする除湿機。
【請求項２】
冷媒を流通させる機構と、気体を送風する送風手段と、前記気体を外部へ吹き出す吹出部とを備えた除湿機において、前記気体を前記機構に送るための流通路と、当該気体の送風経路を前記吹出部から前記流通路に切換える切換手段とを備えたことを特徴とする除湿機。
【請求項３】
冷媒を流通させる機構と、気体を外部へ吹き出す吹出部とを備えた除湿機において、前記吹出部を本体下部に設けると共に、前記気体の上昇を抑制する抑制手段を、上部に位置して、前記本体に収納自在に設けたことを特徴とする除湿機。
【発明の詳細な説明】
【技術分野】
【０００１】
本発明は、冷媒を流通させる機構を備えた除湿機に関する。
【背景技術】
【０００２】
雨が多い梅雨時では、室内の空気は多量の湿気をはらみ、不快感が高まるのみでなく、雑菌やカビの繁殖に適した環境となってしまう。空気中の湿気は、衣服，ふとん，畳，カーペットに至るまで湿らせ、これらにカビを発生させる原因となる。とりわけ、マンションなどの密閉された室内空間では、換気能力も低く、湿気によるカビの発生が問題となっている。このような湿気の除去に活躍するのが除湿機である。
【０００３】
従来の一般的な除湿機は、特許文献１に開示されるように、冷凍サイクルにより空気中の湿気を除去している。すなわち、コンプレッサ（圧縮機）により圧縮した冷媒を、コンデンサ（凝縮器）→ドライヤ→キャピラリチューブ→エバポレータ（蒸発器）→コンプレッサの経路で循環することにより、エバポレータを冷やし、それに近接している凝縮部としてのコンデンサを暖める一方で、蒸発部としてのエバポレータに空気中の水分を付着させ、乾燥状態になった空気を除湿機上部又は前面から吹き出すことで、室内の除湿を行なう。また、この種の除湿機を示したものが図10であるが、本体１上部に設けられた吹出口３に角度が可変できるアップドライフラップ９，ダウンドライフラップ10を設け、乾燥空気の吹き出し角度を調整できるようになっている。このような吹き出し角度を調整できる除湿機では、畳や絨毯などを乾燥させる所謂床面乾燥に使用でき、この場合は、吹出口３に設けられたダウンドライフラップ10の角度を床面に向け、乾燥空気Ｆを床面に向けて吹き出させることで床面乾燥を行なう。一方、アップドライフラップ９は、洗濯物を部屋干しする場合に使用され、洗濯物に直接乾燥空気が当たるようにアップドライフラップ９の角度を調整することで、衣類乾燥機としても利用できる。
【特許文献１】特開２００２−３１０４８５号公報
【発明の開示】
【発明が解決しようとする課題】
【０００４】
しかし、上記従来の除湿機では、運転停止からすぐに再運転することができないという問題があった。冷凍サイクルを有する除湿機では、前述したように、コンプレッサにより高圧に圧縮された冷媒がコンデンサ内に充満しており、キャピラリチューブを抜けると、膨張し低圧となるので、キャピラリチューブを挟んで、大きな圧力差が生じる。当該圧力差があるままで、再運転を開始すると、コンデンサの内圧が高いため、コンプレッサが起動できずにロック状態となり、コンプレッサの保護装置が動作するなどの問題が発生する。そこで、除湿機の運転停止から再運転開始時は、コンデンサの内圧が低減される時間、例えば最短で３分間はコンプレッサを起動しないような制御（コンプレッサＯＦＦ時間）を搭載するなどの対策がなされているが、コンプレッサＯＦＦ時間中は除湿機の運転操作をしてもコンプレッサが停止したままの状態であり、すぐに再運転することができなかった。
【０００５】
また、除湿機の運転停止後は、エバポレータに水分が付着しているため、空気中に含まれるカビや雑菌がエバポレータで繁殖する虞があった。エバポレータひいては除湿機内でカビや雑菌が繁殖してしまうと、除湿機を運転したときに、除湿機内から室内にカビの胞子や雑菌を放出する虞があり、衛生上好ましくない。
【０００６】
一般的な除湿機の吹出口３は、図10で示すように、本体１の前面上部に位置しており、ダウンドライフラップ10で吹き出し角度の調整を行なっても、吹き出し口３直下の床面に乾燥空気Ｆを吹き当てることができず、死角となっていた。その上、除湿機から吹き出される乾燥空気Ｆは、室温よりも温度が高く、かつ湿度が低い為、外気（室内の湿った空気）に比べその比重は軽く、床面に向かって吹き出されても、すぐに上昇してしまい、本体１から近い床面の乾燥は短時間で可能であるが、本体１から数メートル離れた床面の乾燥には乾燥空気があまり届かないため、乾燥に時間を要していた。
【０００７】
そこで本発明は上記問題点に鑑み、運転停止からすぐに再運転を開始した場合においても、圧縮機の負荷を軽減し、確実な始動を可能にする除湿機を提供することを第一の目的とする。
【０００８】
また、除湿機内でのカビや雑菌の繁殖を抑制する除湿機を提供することを第二の目的とする。
【０００９】
さらに、床面に対して高い乾燥性能を発揮する除湿機を提供することを第三の目的とする。
【課題を解決するための手段】
【００１０】
本発明における請求項１の除湿機では、除湿運転停止から再運転する際に、冷却用経路を構成する凝縮部内部に高圧冷媒が充満している場合でも、加熱用経路により凝縮部と蒸発部とが、当該他の構成手段を介さずに連通することで、前記高圧冷媒が蒸発部に瞬時に抜けるため、冷却用経路内の圧力差が速やかに低下し、圧縮部に掛かる負荷を短時間で大幅に軽減することができる。本来、除湿運転時は、冷媒を冷却用経路で流通させるが、除湿運転開始時の所定の時間のみ、冷媒が流通する経路を冷却用経路から加熱用経路に切換えるだけで、除湿機の運転停止後すぐに運転を再開することができる。また、既存の構成手段を利用することができるため、部品を追加する必要がない。
【００１１】
本発明における請求項２の除湿機では、切換手段により、気体の送風経路を吹出部から流通路に切換えるよう構成しているので、送風手段により送風される気体は、吹出部から外部へ吹き出すことなく、内部の機構に戻され、内部で流通する。このとき、気体を機構に当て乾燥させることで、機構に付着した水分が除去されるため、カビや雑菌が付着しても、繁殖を防ぐことができる。
【００１２】
本発明における請求項３の除湿機では、気体の吹出部を下部に設けることで、本体近傍の床面にも気体を行き渡らせることができるため、床面に対する死角がなくなり、床面乾燥性能が向上する。抑制手段により、気体が上昇することなく、床面に沿って流れるため、本体から離れた床面においても効果的に乾燥することができ、乾燥速度を早くすることができる。また、抑制手段は、本体に収納自在に設けられているため、使用しない時にも邪魔にならず、収納スペースをとらないため、保管時の収納性が高い。
【発明の効果】
【００１３】
本発明は、以上説明したようなものであるから、以下に記載されるような効果を奏する。
【００１４】
本発明の請求項１によると、圧縮部始動時の負荷を軽減し、確実な始動を可能にすると共に、除湿機の運転停止後すぐに運転を再開することができる。
【００１５】
本発明の請求項２によると、除湿機内部でのカビや雑菌の繁殖を抑え、清潔に保つことができる。
【００１６】
本発明の請求項３によると、乾燥速度を早くできることに伴い、運転時間を短くすることができ、省エネとなる。
【発明を実施するための最良の形態】
【００１７】
以下、添付図面を参照しながら、本発明における除湿機の好ましい各実施例を説明する。なお、これらの各実施例において、従来例と同一箇所には同一符号を付し、共通する部分の説明は重複するため極力省略する。
【実施例１】
【００１８】
以下、本発明における除湿機の第１実施例について、添付図面を参照しながら説明する。本実施例における除湿機の基本構成は、後述する制御手段36を除いて、従来例で示した除湿機と概ね同じである。除湿機の外観をあらわす図１〜図３において、１は縦長箱状の除湿機の本体であって、この本体１の側面および背面上方寄りには空気を取り込むための吸込口２が設けられると共に、本体１の上部前方には気体である乾燥空気を送出する吹出部としての吹出口３が設けられる。本体１の一側部に形成した開口部４には、透明樹脂製の貯水タンク５が着脱自在に設けられる。６は、例えば複数のＬＥＤや各種スイッチなどを備えて構成される表示・操作パネルである。この表示・操作パネル６をコの字状に囲むように、本体１の上部には回動自在なハンドル７が設けられる。
【００１９】
前記吹出口３には、乾燥空気を送出する際に開放するアップドライフラップ９とダウンドライフラップ10が設けられる。
【００２０】
前記表示・操作パネル６は、後述する操作手段40を構成する除湿ボタン12，運転切換ボタン13，切タイマーボタン14を備えている。またこれらの各ボタンに対応して、湿度ランプ16，運転切換ランプ17，切タイマーランプ18と共に、貯水タンク５の満水時に点灯する満水ランプ20が表示手段39として設けられている。
【００２１】
図４は、本体１の内部に設けられる冷凍サイクル機構21の構成を模式的に示したものである。同図において、冷凍サイクル機構21は、冷媒を循環（流通）する圧縮部としてのコンプレッサ22に、冷媒中の熱を放出する凝縮部としてのコンデンサ23と、ドライヤ24と、膨張部としてのキャピラリチューブ25と、空気中の水分を凝縮する熱交換器に相当する蒸発部としてのエバポレータ26とを順次連結して構成されると共に、エバポレータ26からコンプレッサ22に至る経路と並列に、冷凍サイクル切換部としての二方弁27が設けられている。また、28はエバポレータ26に設けられた着霜検出手段としての温度センサで、この温度センサ28によりエバポレータ26の着霜を検出すると、前記二方弁27を開くように構成している。そして、二方弁27が閉じた状態では、コンプレッサ22→コンデンサ23→ドライヤ24→キャピラリチューブ25→エバポレータ26→コンプレッサ22の経路で冷媒が循環する冷却用経路としての冷却用循環路29が形成される。また、二方弁27が開くと、コンプレッサ22→二方弁27→エバポレータ26→コンプレッサ22に至る加熱用経路としての加熱用循環路30が形成される。前記冷凍サイクル機構21はその他に、外部からの空気をエバポレータ26に送り込む送風手段としての送風機31が設けられる。
【００２２】
図５は、本体１の内部に組み込まれるコントローラ35とその周辺の構成をあらわしたブロック図である。同図において、コントローラ35は制御手段36や送風機回転速度調節手段37を備えたマイクロコンピュータ（以下、マイコンという）38と、前述の表示・操作パネル６に設けられる操作状態などを表示する表示手段39、および各種ボタンからなる操作手段40を備えて構成される。制御手段36は、前記エバポレータ26の温度を検出する温度センサ28や室温センサ42からの各温度情報と、操作手段40からの操作信号と、コンプレッサ22を流れる負荷電流を検出する負荷電流検出手段43からの検出情報と、内蔵するタイマ（図示せず）の時間情報と、周囲の湿度を検知する湿度センサ44からの湿度情報とに基づいて、送風機31の回転速度と表示手段39の表示を制御する機能を備えている。また送風機回転速度調節手段37は、制御手段36からの制御信号に基づいて、送風機31の回転速度を例えば強風量と弱風量のいずれかに調節するものである。
【００２３】
次に、上記構成における作用を説明する。操作手段40を操作して除湿運転の開始を指示すると、制御手段36はコンプレッサ22を駆動する信号を出力すると共に、所定の回転速度で送風機31を駆動させる信号を、送風機回転速度調節手段37に出力する。これにより、コンプレッサ22および送風機31を駆動して、強風量または弱風量のいずれかの除湿運転を開始する。
【００２４】
この除湿運転時には、制御手段36からの制御信号により二方弁27が閉じているので、コンプレッサ22により圧縮された冷媒が、二方弁27を通らず冷却用循環路29を通って循環する。すなわち、冷媒はコンプレッサ22からコンデンサ23に入り、ここで冷媒中の熱を放出した後、ドライヤ24からキャピラリチューブ25に入って膨張される。その後、エバポレータ26において冷媒は蒸発すると共に、エバポレータ26の熱交換用フィン52から熱を奪って、エバポレータ26の温度を低下させ、コンプレッサ22に再び戻る。その際、送風機31により本体１内に吸い込んだ室内の空気がエバポレータ26に触れて冷却除湿され、この冷却した空気がコンデンサ23で加温されて、本体１の吹出口３から外部に乾燥空気として排出される。
【００２５】
一方、室温が低く、エバポレータ26に霜が付着した場合は、温度センサ28によるエバポレータ26の検出温度が低下する。制御手段36は、この温度センサ28からの検出温度が所定温度である例えば０℃以下を一定時間以上継続したときに、エバポレータ26の着霜を検出し、それまでの除湿運転から除霜運転に冷凍サイクル機構21の制御を切換える。具体的には、制御手段36により二方弁27を開き、コンプレッサ22からの冷媒をコンデンサ23に通さずに、二方弁27を介してエバポレータ26に直接送り込む。これによりエバポレータ26は、冷媒の熱を放出して温度を上昇させるように作用し、エバポレータ26に付着した霜を融かす。エバポレータ26を通過した冷媒は、再びコンプレッサ22に戻り、温度センサ28の検出温度が上昇するまで除霜運転を継続する。
【００２６】
また、上記除湿運転時においては、負荷電流検出手段43からの検出情報に基づいて、制御手段36がコンプレッサ22の負荷状態を監視している。そして、コンプレッサ22の負荷が設定値に満たない場合は、送風機31の回転速度を低速にする弱風量の運転を行なう。一方、コンプレッサ22の負荷が設定値以上になっている場合は、制御手段36により現在の送風機31の運転状態を判断し、強風量ならばそのままとし、弱風量ならばコンプレッサ22への負担を和らげるために、送風機31の回転速度を高速にする強風量の運転に自動的に切換えるようにする。
【００２７】
その後、操作手段40により除湿運転を停止する操作を行なうと、制御手段36はコンプレッサ22および送風機31の駆動を停止させる。
【００２８】
ここで、除湿運転停止からすぐに再運転を開始すると、除湿運転中の冷媒流れのままコンプレッサ22が運転を開始することとなるが、コンデンサ23内圧が上昇しているため、コンプレッサ22に掛かる負荷が大きい。コンデンサ23内部の圧力（冷媒）は、キャピラリチューブ25を通じて、エバポレータ26に抜けていくが、キャピラリチューブ25の単位時間当たりの通過量は小さいため、コンデンサ23内圧とエバポレータ26内圧とが略同じになるには、数分の時間を要する。そこで、本実施例では、再運転時に二方弁27を開くことにより、冷媒の循環路を切換えて、コンデンサ23内圧とエバポレータ26内圧との差を低減し、コンプレッサ22に掛かる負荷を小さくしている。すなわち、操作手段40により除湿運転を再運転する操作を行なうと、制御手段36は、一定時間、二方弁27を開いて加熱用循環路30を形成することにより、コンデンサ23内にある高圧の冷媒をエバポレータ26に逃がすように、冷凍サイクル機構21を切換え制御する。すると、冷媒の循環路は、単位時間当たりの通過量が小さいキャピラリチューブ25を介して循環する冷却用循環路29から、単位時間当たりの通過量がキャピラリチューブ25に比べ大きい二方弁27を介して循環する加熱用循環路30に切換わるため、コンデンサ23内部の圧力は、二方弁27ひいては加熱用循環路30を通じて、エバポレータ26に瞬時に抜けることができる。
【００２９】
次いで、制御手段36は、所定時間経過後、二方弁27を閉じることで、加熱用循環路30から冷却用循環路29に切換え、コンプレッサ22を駆動する信号を出力すると共に、所定の回転速度で送風機31を駆動させる信号を、送風機回転速度調節手段37に出力することで、コンプレッサ22の運転ひいては除湿運転を再開する。加熱用循環路30では、コンデンサ23内圧とエバポレータ26内圧とが瞬時に略同じになるため、当該加熱用循環路30を形成する前記所定時間はほんの数秒でよく、除湿運転停止から短時間で再運転を開始することができる。なお、コンデンサ23内圧を検知する手段を設けて、その検知結果に応じて、二方弁27を切換え制御するよう構成してもよく、制御手段36を用いずに、リレーなどでシーケンス回路を構成して二方弁27を切換え制御するようにしてもよい。
【００３０】
以上のように本実施例では、冷媒を圧縮する圧縮部たるコンプレッサ22と、除湿運転時に前記冷媒を循環させ、凝縮部たるコンデンサ23と蒸発部たるエバポレータ26とを備えてなる冷却用循環路29と、除霜運転時に前記冷媒を循環させる加熱用循環路30と、前記冷却用循環路29と前記加熱用循環路30を切換える冷凍サイクル切換部たる二方弁27とからなる冷凍機構たる冷凍サイクル機構21を備え、制御手段36により冷凍サイクル機構21を制御して除湿を行なう除湿機において、前記制御手段36は、前記除湿運転を開始する際、二方弁27により、所定の時間のみ前記冷却用循環路29から前記加熱用循環路30に切換えて、
コンデンサ23とエバポレータ26とを直接連通させるものである。
【００３１】
このようにすると、除湿運転停止から再運転する際に、冷却用循環路29を構成するコンデンサ23内部に高圧冷媒が充満している場合でも、加熱用循環路30によりコンデンサ23とエバポレータ26とが、当該他の構成手段を介さずに直接連通することで、前記高圧冷媒がエバポレータ26に瞬時に抜けるため、冷却用循環路29内の圧力差が速やかに低下し、コンプレッサ22に掛かる負荷を短時間で大幅に軽減することができる。本来、除湿運転時は、冷媒を冷却用循環路29で循環させるが、コンプレッサ22を運転させる前の所定の時間のみ、冷媒が循環する経路を冷却用循環路29から加熱用循環路30に切換えるだけで、除湿機の運転停止後すぐに運転を再開することができる。また、既存の構成手段を利用することができるため、部品を追加する必要がない。
【実施例２】
【００３２】
以下、本発明における除湿機の第２実施例について、添付図面を参照しながら説明する。図６は、本実施例における除湿機の要部断面図であるが、第１実施例と同様に、除湿機の本体１と、空気を取り込むための吸込口２と、乾燥空気を送出する吹出口３とが設けられ、本体１内部には、コンプレッサ22，コンデンサ23，ドライヤ24（図示せず），キャピラリチューブ25，エバポレータ26，及び二方弁27からなる冷凍サイクル機構21と、送風機31と、着脱自在の貯水タンク５とが設けられる。
【００３３】
前記吹出口３には、乾燥空気を送出する際に吹出口３を開放（開口）状態にするアップドライフラップ９が設けられ、制御手段36の指令信号に応じて、例えばモータなどの図示しない駆動手段により開閉制御される。
【００３４】
本体１内部の冷凍サイクル機構21上部には、送風機31から送風される乾燥空気を冷凍サイクル機構21に送るための流通路としての乾燥空気循環路50が設けられ、該乾燥空気循環路50を開閉するダンパ51が回動自在に設けられている。ダンパ51は、アップドライフラップ９と連動しており、アップドライフラップ９が閉じると、ダンパ51が開き、一方、アップドライフラップ９が開くと、ダンパ51が閉じるよう構成される。ダンパ51は、アップドライフラップ９と連動させずに、アップドライフラップ９を閉じたときに、乾燥空気の風圧により開放するようにしてもよい。なお、図６は、アップドライフラップ９が開き、ダンパ51が閉じている状態を示しており、この場合、送風機31から送風される乾燥空気は、矢印Ｆ１で示すように、吹出口３から吹き出されることとなる。
【００３５】
次に、上記構成における作用を説明する。操作手段40を操作して除湿運転の開始を指示すると、制御手段36はコンプレッサ22を駆動する信号を出力すると共に、所定の回転速度で送風機31を駆動させる信号を、送風機回転速度調節手段37に出力する。これにより、コンプレッサ22および送風機31を駆動して、強風量または弱風量のいずれかの除湿運転を開始する。
【００３６】
この除湿運転時には、制御手段36からの制御信号により二方弁27が閉じているので、コンプレッサ22により圧縮された冷媒が、二方弁27を通らず冷却用循環路29を通って循環する。その際、送風機31により本体１内に吸い込んだ室内の空気がエバポレータ26に触れて冷却除湿され、この冷却した空気がコンデンサ23で加温されて、本体１の吹出口３から外部に乾燥空気として排出される。除湿運転を行なうと、エバポレータ26には、凝縮した空気中の水分が水滴として付着するため、当該水滴は、やがてエバポレータ26から滴下し、貯水タンク５に貯められる。
【００３７】
その後、操作手段40により除湿運転を停止する操作を行なうと、通常では、制御手段36はコンプレッサ22および送風機31の駆動をすぐに停止させるが、本実施例では、エバポレータ26に付着した水分を除去するため、乾燥運転を行なう。当該乾燥運転では、まず、制御手段36は、コンプレッサ22および送風機31の駆動を継続したまま、吹出口３の上にあるアップドライフラップ９を閉じる。図７は、乾燥運転時の状態を示したものであるが、同図のように、アップドライフラップ９の閉じ動作に連動して、ダンパ51が開くことで、乾燥空気は、送風機31から乾燥空気循環路50を通じて、冷凍サイクル機構21に送られる。そのため、乾燥空気は、矢印Ｆ２で示すように、送風機31→乾燥空気循環路50→冷凍サイクル機構21→送風機31の順に、本体１内で循環する。このとき、アップドライフラップ９及びダンパ51は、乾燥空気の送風経路を吹出口３（図６の矢印Ｆ１）から乾燥空気循環路50（図７の矢印Ｆ２）に切換える経路切換手段として作用する。従って、経路切換手段は、アップドライフラップ９及びダンパ51に限らず、乾燥空気の流れを吹出口３から乾燥空気循環路50に切換えることができれば、どのように構成してもよい。合わせて、制御手段36は、冷凍サイクル機構21を構成する二方弁27を開いて、エバポレータ26を暖めるようにする。このようにすることで、冷凍サイクル機構21を構成するエバポレータ26は、触媒の熱で暖められると共に、乾燥空気が当てられるため、その状態で、例えば１分〜１０分程度の所定時間にわたり乾燥運転を行なうことで、エバポレータ26に付着した水分は、蒸発，除去される。除湿運転停止前に、乾燥運転を行なうことで、エバポレータ26に付着した水分を除去することができるため、カビや雑菌の繁殖を防ぐことができ、本体１内部を清潔に保つことができる。従って、次回除湿機を運転したときに、除湿機内から室内にカビの胞子や雑菌を放出することがなく、衛生的である。
【００３８】
そして、制御手段36は、所定時間経過後、コンプレッサ22および送風機31の駆動ひいては乾燥運転を停止する。乾燥運転は、除湿運転と同様に、任意の乾燥ボタンを押動操作することで、開始するようにしてもよい。
【００３９】
以上のように本実施例では、冷媒を循環させる冷凍機構たる冷凍サイクル機構21と、乾燥空気を送風する送風手段としての送風機31と、前記乾燥空気を本体１外へ吹き出す吹出口３とを備えた除湿機において、前記乾燥空気を冷凍サイクル機構21に送るための乾燥空気循環路50と、当該乾燥空気の送風経路を吹出口３から乾燥空気循環路50に切換える経路切換手段に相当するアップドライフラップ９，ダンパ51とを備えている。
【００４０】
このようにすると、経路切換手段として作用するアップドライフラップ９，ダンパ51により、乾燥空気の送風経路を吹出口３から乾燥空気循環路50に切換えるよう構成しているので、送風機31により送風される乾燥空気は、吹出口３から本体１外部へ吹き出すことなく、本体１内部の冷凍サイクル機構21に戻され、本体１内部で循環する。このとき、乾燥空気を冷凍サイクル機構21に当て乾燥させることで、冷凍サイクル機構21に付着した水分が除去されるため、カビや雑菌が付着しても、繁殖を防ぐことができる。従って、除湿機内部を清潔に保つことができる。
【００４１】
また本実施例では、乾燥運転時に、冷凍サイクル機構21を構成する二方弁27を開いて、エバポレータ26を暖めるように制御手段36を構成している。
【００４２】
このようにすると、冷凍サイクル機構21を構成するエバポレータ26は、触媒の熱で暖められるため、エバポレータ26に付着した水分の蒸発，除去が促進される。
【実施例３】
【００４３】
以下、本発明における除湿機の第３実施例について、添付図面を参照しながら説明する。本実施例の除湿機では、除湿機の吹出口３及び風向板61以外の構成については、従来例で示したものと概ね同じである。図８は、本実施例における除湿機の外観を示すものであるが、同図において、吹出口３は本体１の下部前方に設けられている。吹出口３の上部には、吹出口３から吹き出される乾燥空気の上昇を抑制（防止）する上昇抑制手段としての風向板61が、下端を回転軸として本体１に回動自在に軸支され、本体１の前面パネル60には、風向板61の投影形状となる凹部62が形成され、風向板61が本体１と一体となるよう凹部62に収納される。一方で、風向板61は、吹出口３の上部に覆い被さるように、床面に対して略水平となる位置で係止されるように構成されている。床面乾燥時には、風向板61を、当該下端を回転軸として回動させるように、本体１から引き倒して使用する。風向板61は、本体１と一体となるように収納自在に設けられているため、使用しない時にも邪魔にならず、収納スペースをとらないため、保管時の収納性が高い。なお、風向板61を機構的に伸縮自在としてもよく、乾燥空気の上昇を抑えることが可能であれば、形状は特に限定されない。
【００４４】
図９は、床面乾燥時における除湿機の外観を示すものであるが、風向板61が、吹出口３の上部に覆い被さるような位置で係止されているため、吹出口３から吹き出した乾燥空気Ｆは、風向板61により上昇を押さえられると共に、水平方向への方向性を強くしながら風向板61の一端から室内に向けて吹き出されることとなる。乾燥空気Ｆは、吹出口３から吹き出されると、床面に対して水平方向に流れ、風向板61に対向する床面全体にわたって湿気を奪うことで、床面を乾燥させる。このとき、乾燥空気Ｆは、風向板61の端部に到達するまでに室内の温度により冷やされると共に、床面の湿気を含むにつれて、上昇性を次第に失うため、水平方向への方向性が高まり、風向板61の長手方向よりも遠い場所でも容易に到達することができる。なお、風向板61の長手方向を長くすることにより、乾燥空気の到達距離を伸ばすことができる。この場合、風向板61の長手方向を長くすると共に、送風能力を高めるとより効果的である。
【００４５】
以上のように本実施例では、冷媒を循環させる冷凍機構たる冷凍サイクル機構21と、乾燥空気を本体１外へ吹き出す吹出口３とを備えた除湿機において、吹出口３を本体１下部に設けると共に、前記乾燥空気の上昇を防止する上昇抑制手段としての風向板61を、吹出口３の上部に位置して、本体１に収納自在に設けている。
【００４６】
このようにすると、乾燥空気の吹出口３を下部に設けることで、本体１近傍の床面にも乾燥空気を行き渡らせることができるため、床面に対する死角がなくなり、床面乾燥性能が向上する。風向板61により、乾燥空気が上昇することなく、床面に沿って流れるため、本体１から離れた床面においても効果的に乾燥することができ、乾燥速度を早くすることができる。また、風向板61は、本体１に収納自在に設けられているため、使用しない時にも邪魔にならず、収納スペースをとらないため、保管時の収納性が高い。上記のように、乾燥速度を早くできることに伴い、運転時間を短くすることができ、省エネとなる。
【００４７】
なお、本発明は、上記各実施例に限定されるものではなく、本発明の趣旨を逸脱しない範囲で変更可能である。除湿機の他、各種空調機器に適用することもできる。
【図面の簡単な説明】
【００４８】
【図１】本発明の第１実施例における除湿機の正面図である。
【図２】同上、除湿機の背面図である。
【図３】同上、除湿機の平面図である。
【図４】同上、冷凍サイクル機構を模式的にあらわした説明図である。
【図５】同上、電気的構成をあらわしたブロック図である。
【図６】本発明の第２実施例における除湿機の除湿運転時を示す要部縦断面図である。
【図７】同上、除湿機の乾燥運転時を示す要部縦断面図である。
【図８】本発明の第３実施例における除湿機の斜視図である。
【図９】同上、除湿機の運転時を示す斜視図である。
【図１０】従来例における除湿機の運転時を示す斜視図である。
【符号の説明】
【００４９】
１  本体
３  吹出口（吹出部）
９  アップドライフラップ（切換手段）
21  冷凍サイクル機構（機構）
22  コンプレッサ（圧縮部）
23  コンデンサ（凝縮部）
26  エバポレータ（蒸発部）
27  二方弁（切換部）
29  冷却用循環路（冷却用経路）
30  加熱用循環路（加熱用経路）
31  送風機（送風手段）
36  制御手段
50  乾燥空気循環路（流通路）
51  ダンパ（切換手段）
61  風向板（抑制手段）
【図１】
2005334795.tif 000003
【図２】
2005334795.tif 000004
【図３】
2005334795.tif 000005
【図４】
2005334795.tif 000006
【図５】
2005334795.tif 000007
【図６】
2005334795.tif 000008
【図７】
2005334795.tif 000009
【図８】
2005334795.tif 000010
【図９】
2005334795.tif 000011
【図１０】
2005334795.tif 000012